(57)【特許請求の範囲】
【請求項１】
３原色値の変化量をそれぞれ独立に指示可能な３原色指示手段、
複数の色相からなる２次元色相領域であって全色相が順に並んだ色相円の周囲に、複数の指示手段を配置させ、変化させたい色相と変化量を指示可能な色相指示手段、
前記３原色指示手段と前記色相指示手段からの指示に応じて画像に対し色補正を行なう画像補正手段とを有し、
前記色相指示手段による色相補正におけるＲＧＢの割合を３原色指示手段の表示部に表示でき、前記３原色指示手段と色相指示手段は連動して動作することを特徴とする画像処理装置。
【請求項２】
前記３原色指示手段は、３原色のそれぞれに対応したスライダーコントロール手段、３原色の増減を指示する増減指示手段、３原色の補正値を数値入力する数値入力手段の少なくとも何れかを有し、該スライダーコントロール手段、該増減指示手段、該数値入力手段の何れからでも前記パラメータを入力可能であることを特徴とする請求項１記載の画像処理装置。
【請求項３】
前記色相指示手段は、前記操作部からの１回の操作による色相の変化量を可変とする調整範囲設定手段を有することを特徴とする請求項１記載の画像処理装置。
【請求項４】
前記３原色指示手段と前記色相指示手段は、同じ操作部上に配置され、該３原色指示手段による指示内容に応じた色の変化量は、該色相指示手段における色相の変化量に変換され、該色相指示手段に反映されることを特徴とする請求項１記載の画像処理装置。
【請求項５】
前記３原色指示手段と前記色相指示手段は、同じ操作部上に配置され、該色相指示手段による指示内容に応じた色相の変化量は、該３原色指示手段における色の変化量に変換され、該３原色指示手段に反映されることを特徴とする請求項１記載の画像処理装置。
【請求項６】
前記３原色指示手段もしくは前記色相指示手段からの指示に応じたパラメータを記憶する記憶手段、
前記記憶手段により記憶されたパラメータが読み出されると、前記パラメータにより、前記３原色色指示手段の変化量の表示、前記色相指示手段の色相の変化方向と変化量の表示に反映されることを特徴とする請求項１記載の画像処理装置。
【発明の詳細な説明】
【０００１】
【発明の属する技術分野】
本発明は、画像処理装置及び画像処理方法及び記憶媒体に関するものである。
【０００２】
【従来の技術】
従来、例えば、コンピュータ上で画像の色補正を手動で行う場合、操作者は、画面上に画像を表示し、色補正を行うためのツールを選択し、そのツールを操作して画像の色補正を行っていた。色補正のツールには、、一般的に以下のものが挙げられる。
【０００３】
▲１▼３個のスライダーコントロールを操作して、画像全体に対してＲＧＢ（赤緑青）の値をそれぞれ独立に増減させるもの。
【０００４】
▲２▼３６０の色相をＮ等分し、それぞれの色相方向に色味を増減させるボタンを押すことにより色補正を行うもの。
【０００５】
これらのツールは、装置やアプリケーションソフトごとに１種類用意されているのが普通で、▲１▼、▲２▼のツールを同時に操作できるものはなかった。
【０００６】
【発明が解決しようとする課題】
しかしながら、上述した従来例にあっては、▲１▼、▲２▼のツールを単独で使用する場合、色補正の経験の少ない操作者は、思うような結果が得られないという問題があった。
【０００７】
本発明は上述した従来の技術の有するこのような問題点を解決するために考えられたものであり、その目的とするところは、色補正の経験の少ない操作者でも簡単に精度良く希望の色補正が行える画像処理装置及び画像処理方法及び記憶媒体を提供しようとするものである。
【０００８】
【課題を解決するための手段】
以上の課題を解決するために本発明は、３原色値の変化量をそれぞれ独立に指示可能な３原色指示手段、
複数の色相からなる２次元色相領域であって全色相が順に並んだ色相円の周囲に、複数の指示手段を配置させ、変化させたい色相と変化量を指示可能な色相指示手段、
前記３原色指示手段と前記色相指示手段からの指示に応じて画像に対し色補正を行なう画像補正手段とを有し、
前記色相指示手段による色相補正におけるＲＧＢの割合を３原色指示手段の表示部に表示でき、前記３原色指示手段と色相指示手段は連動して動作することを特徴とする。
【０００９】
【発明の実施の形態】
以下、本発明の実施形態を図面に基づき説明する。
【００１０】
「第１の実施形態」
まず、本発明の第１の実施形態を図面に基づき説明する。
【００１１】
図１は、本発明の第１の実施形態の画像処理装置の構成を示すブロック図であり、１０１は画像記憶手段で、不図示のフィルム／原稿スキャナ、ディジタルカメラ、ディジタルＶＴＲ等の画像入力手段から入力された画像を記憶するための記憶媒体を意味する。記憶媒体には、ＲＡＭや、ハードディスク、ＭＯ、ＺＩＰ、ＰＤなどの記憶装置などがある。１０２は３色変化量指示手段で、不図示のマウス、キーボードなどの指示デバイスを用いて、３本のスライダーコントロール、数値入力ボックス、増減ボタンから、ＲＧＢ（ＣＭＹ）値の変化量を指示することができる。１０３は色方向指示手段で、全色相をあらわす円（色相環）の周囲に１２個のボタンを配置し、そのボタンをクリックすることにより変化させたい色相の方向と変化量を指示することができる。１０４は画像表示手段で、１０１の画像記憶手段に記憶されている画像を不図示のＣＲＴモニターや液晶モニターなどの画像表示装置に表示し、処理の過程や結果をリアルタイムで認識できるようにしたものである。１０５は画像補正手段で、１０２の３色変化量指示手段と１０３の色相方向指示手段から指示されたパラメータをもとに色補正演算を行い、その結果を１０１の画像記憶手段に書き込む。１０１に書き込まれた結果は、１０４の画像表示手段に表示される。
【００１２】
次に、本実施例の画像処理装置における操作手順と作用を図２の操作画面を用いて説明する。２０１は、変更前ウインドウで、色補正を行う前の画像が表示される。２０２は、変更後ウインドウで、色補正を行った結果が表示され、操作者は２０１の変更前ウインドウと比較を行いながら色補正を行うことができるので、変化の度合いが一目瞭然でわかりやすい。次に、第１の実施形態のもっとも重要な機能である三色変化量指示手段と色相方向指示手段を中心に動作の説明を行う。
【００１３】
＜三色変化量指示手段＞
２０６，２０７，２０８，２０９は、三色変化量指示手段の構成部品である。三色変化量指示手段は、本実施形態においては、ＲＧＢ（ＣＭＹ）スライダーコントロールで、３本のスライダを操作することにより、画像に対してＲＧＢ（ＣＭＹ）値の増減を指示することができる。ＲＧＢとは画像データにおける赤、緑、青成分を意味する。また、ＣＭＹは、シアン、マゼンタ、イエローを意味し、ＲＧＢとＣＭＹは補色の関係にある。２０６はグラデーション表示部で、３本それぞれ、ＲからＣへのグラデーション、ＧからＭへのグラデーション、ＢからＹへのグラデーションが表示されており、視覚的に分かりやすく、スライダーを選択できるようになっている。２０７はスライダーのつまみで、マウスなどのポインティングデバイスを用いて、左右にスライドすることによりＲＧＢ（ＣＭＹ）値の増減を指示することができる。右にスライドすると、Ｒまたは、ＧまたはＢ値を増加することができる。左にスライドすると、ＣまたはＭまたはＹ値を増加することができる。ＲＧＢとＣＭＹは補色の関係にあり、Ｒ、Ｇ、Ｂ値を減少させることと、Ｃ、Ｍ、Ｙ値を増加させることは同一である。２０８はスライダーの増減用ボタンで、マウスなどのポインティングデバイスを用いて、このボタンをクリックすることにより、ＲＧＢ（ＣＭＹ）値の増減を指示することができる。Ｒ側のボタンをクリックするとＲの値を１だけ増加させることができる。逆にＣ側のボタンをクリックするとＲの値を１だけ減少させることができる。また、このボタンを押し続けると、連続して値を増減させることができる。２０９は、数値ボックスで、２０７，２０８を用いて増減を指示した値が表示される。なにも補正を行わない状態では、値は０で、最大値が＋１００、最小値が−１００である。また、このテキストボックスにキーボードなどの数値入力手段から任意の数値を入力することにより、ＲＧＢ（ＣＭＹ）値の増減を指示することができる。２０７、２０８、２０９により指示された値は１０５の画像補正手段に送られ、画像に対する演算が行われ、瞬時に２０２の変更後ウインドウに表示される。したがって、操作者は、色補正の結果をリアルタイムに確認しながら、何度でも繰り返し色補正を行うことができる。
【００１４】
＜色相方向指示手段＞
２０３、２０４、２０５、２１０、２１１は、色相方向指示手段の部品である。これらの部品を操作することにより、２０１に表示される変更前の画像に対して、色相の方向と変化量を指示することができる。２０３は色相円で、円上にすべての色相が表示されている。中心はグレーで円周方向に進むに従って、彩度が高くなる。円周上は、彩度の高いすべての色相が順に並んでいる。２０４は、色相円の周りに配置され、色相の方向と変化量を指示するためのボタンである。マウスなどのポインティングデバイスを用いてクリックすることにより、ボタンの近傍の色相の方向に色補正を行うことができる。例えば、Ｒ方向のボタンを１回クリックすると、Ｒの値を１だけ増加させることができる。また、Ｒ方向のボタンを押し続けると、連続して値を増加させることができる。色相円の周りには、１２個のボタンが並んでおり、操作者は任意の色相の方向に色補正を行うことができる。２０５は、色相円上で補正方向と補正量を示すためのカーソルで、２０４のボタンを操作するとそれに従って、色相円上を移動する。２１０は調整範囲設定ボタンで、２０４のボタンを１回クリックするときの変化量を設定することができる。２１１は数値ボックスで、２１０で設定された値を表示する。また、キーボードから任意の値を入力することも可能である。２１０の上向き三角ボタンを１回クリックすると、２１１に表示される値が１増加する。２１０の下向き三角ボタンを１回クリックすると、２１１に表示される値が１減少する。ここで例えば、２１１に表示されている値が５の場合において、Ｒ方向の２０４のボタンを１回クリックすると、画像全体に対して、Ｒ成分に５が加算される。２回クリックすると１０が加算される。この結果は瞬時に２０２の変更後のウインドに反映される。２０４のボタンをクリックすると、その結果は、瞬時に２０２の変更後ウインドウに表示される。
【００１５】
２１２は色補正パラメータ保存ボタンで、同一機能のボタンが横に３個並べられている。三色変化量指示手段、もしくは、色相方向指示手段で設定されたパラメータは、ＲＧＢの変化量として与えられる。２１２をマウスなどのポインティングデバイスでクリックすることにより、パラメータが不図示のパラメータ記憶部に記憶される。パラメータ記憶部はＲＡＭ、ハードディスクなどの記憶媒体である。保存されたパラメータ値は、２１３の色補正パラメータ読み出しボタン上に、Ｒ，Ｇ，Ｂ値として表示される。２１３をクリックすると、保存されているパラメータは読み出され、色補正が行われ、色補正の結果は、２０２の変更後ウインドウに表示される。同時にパラメータは、２０５のカーソルの位置、２０７の変更後ウインドウに表示される。同時にパラメータは、２０５のカーソルの位置、２０７のスライダーのつまみの位置、２０９の数値ボックスに反映される。２１４は、適用ボタンで、２０９の数値ボックスへキーボードからパラメータを入力したときのみ動作可能となり、このボタンをクリックすることにより、色補正が行われる。これは、例えば、数値１２５を入力する場合、リアルタイムに色補正処理が行われると、１、２、５と入力するたびに色補正が行われてしまうのを防ぐために設けられている。２１６はＯＫボタンであり、満足できる状態まで色補正を行ったら、クリックし、色補正処理を終了する。２１５はキャンセルボタンで、色補正処理をすべてキャンセルし、終了する。２１７はリセットボタンで、３色変化量指示手段、もしくは、色相方向指示手段で設定されたパラメータをすべて初期値にリセットする。言い換えれば、変更前ウインドウの状態に戻す。
【００１６】
次に、本実施の形態の最も特徴的な機能に関して説明する。
【００１７】
従来、色補正機能といえば、前述の３色変化量指示手段、もしくは、色相方向指示手段のいずれか一方の機能を備えるものが一般的であった。ところが、３色変化量指示手段のみの場合、色補正の熟練者にとっては、比較的操作しやすいが、初心者にとっては、ＲＧＢのスライダーをどのように組み合わせて操作すれば、希望の色になるか見当がつかず、満足な結果が得られなかったり、膨大な補正操作時間を費やしてしまう場合が多かった。逆に、色相方向指示手段のみの場合、初心者にとっては、比較的わかりやすく、操作しやすいが、熟練者にとっては、色変化量指示手段を使うよりもかえって操作に時間がかかり、作業効率が低下するという問題があった。本実施形態の画像処理装置は、３色変化量指示手段と色相方向指示手段を併せ持ち、両方の指示手段が連携して動作することにより、一方の操作を行えば、その結果が他方の指示手段のパラメータに反映される。このことを、初心者を例に実際の操作と作用で説明する。
【００１８】
初心者にとって、３色変化量指示手段のＲＧＢの３本のスライダーを組み合わせて希望の色になるように操作するのは至難の業である。そういった場合、色相方向指示手段を用いて色補正を行えば、比較的簡単に、所望の色補正を行うことができる。まず、例えば、画面が全体的にシアンがかっていれば、シアンの反対の色である赤付近の２０４のボタンをクリックしてみる。補正の色相の方向性があっているようであれば、何度か同一のボタンをクリックして、補正の強さを調整する。補正の色相の方向性があっていないようであれば、近くのボタンをクリックしてみて、どの方向が適正であるか探すことができる。色相方向指示手段で行った補正値は、Ｒ、Ｇ、Ｂ値にベクトル分解され、瞬時に、３色変化量指示手段の２０７のスライダーのつまみと２０９の数値のボックスに反映される。従って、まず色相方向指示手段で、感覚的に色相の補正を行い、その補正結果がリアルタイムに反映された変化後ウインド２０２を確認することにより、おおまかな色相の補正方向を認識した後、その色相補正のＲＧＢの割合は、３色変化量指示手段に反映して表示されるので、後は色変化量指示手段を用いて微調整を行うことも可能である。このように、色相と、ＲＧＢの関係を視覚的に容易に理解できるので、初心者でも色相方向指示手段だけを使用して色補正を行う場合に比較し、効率よく、短時間に色補正のパラメータを決定できる。逆に３色変化量指示手段により先に補正指示を行った後、色相方向指示手段により指示を行ってもよい。尚この場合３色変化量指示手段による指示結果が色相情報に変換され色相方向指示手段に反映される。
【００１９】
図３に色相方向指示手段と色変化量指示手段で与えられるパラメータの関係を示す。ＲＧＢのそれぞれの軸は、色相円の平面上で１２０度の角度で交わる。図３において、
例えば、色相方向指示手段においてベクトルａを与えると、色変化量指示手段においては、ベクトルｒとベクトルｇに分解されるので、次式の関係が成り立つ。
【００２０】
【外１】
0003848000.tif 000002
【００２１】
つまり色相方向指示手段においてａを与えると、色変化量指示手段のＲとＧのスライダーに即座にその結果ｒとｇが反映される。
【００２２】
このことにより、色変化量指示手段のみを操作したり、色相方向指示手段のみを操作したり、両方を組み合わせて操作することが可能になり、初心者から熟練者まで、しかも効率よく、短時間で色補正を行えるようになった。
【００２３】
「第２実施例」
第１の実施例において、入力手段として、マウス、キーボードを用いたが、画面全体にタッチパネルを用いることにより、画面上を指やペンで操作できるように構成しても、同様の効果が得られる。また、第１の実施例における、ボタン類をすべてメカニカルなボタンで構成することも可能である。
【００２４】
「本発明の他の実施形態」
前述した実施形態の機能を実現するように前述した実施形態の構成を動作させるプログラムを記憶媒体に記憶させ、該記憶媒体に記憶されたプログラムをコードとして読み出し、本実施形態をクライアントコンピュータ及びサーバーコンピュータにおいて実行する処理方法も上述の実施形態の範疇に含まれるし、前述のプログラムが記憶された記憶媒体も上述の実施形態に含まれる。
【００２５】
かかる記憶媒体としてはたとえばフロッピーディスク、ハードディスク、光ディスク、光磁気ディスク、ＣＤ―ＲＯＭ、磁気テープ、不揮発性メモリカード、ＲＯＭを用いることができる。
【００２６】
また前述の記憶媒体に記憶されたプログラム単体で処理を実行しているものに限られず、他のソフトウエア、拡張ボードの機能と共同して、ＯＳ上で動作し前述の実施形態の動作を実行するものも前述した実施形態の範疇に含まれる。
【００２７】
【発明の効果】
以上、説明したように本発明の画像処理装置を使用することにより、初心者から熟練者までが、簡単に、正確に、効率よく色補正操作を行うことが可能となった。
【００２８】
本発明では、３原色指示手段と色相指示手段が連動しているので、双方の手段を兼用して色補正処理が可能となり、色補正の処理に精通していない人にとっても使いやすい操作環境を提供できる。
【００２９】
またスライダーコントロール、増減指示、数値入力といったさまざまな操作環境を提供できる。
【００３０】
３原色指示と色相指示は、同じ操作部上に配置され、該３原色指示による指示内容に応じた色の変化量は、該色相指示における色相の変化量に変換され、該色相指示に応じた表示に反映されるので、同じ操作部から３原色指示と色相指示の双方を選択的に使えて操作性が向上する。更には３原色指示により指示した内容がどのようなものかを色相指示に応じた表示上で確認することが可能となる。
【００３１】
３原色指示と色相指示は、同じ操作部上に配置され、該色相指示による指示内容に応じた色相の変化量は、該３原色指示における色の変化量に変換され、該３原色指示に応じた表示に反映されるので、同じ操作部から３原色指示と色相指示の双方を選択的に使えて操作性が向上する。更には色相指示により指示した内容がどのようなものかをに３原色指示応じた表示上で確認することが可能となる。
【００３２】
３原色指示と色相指示と画像は、同じ表示部上に表示され、該色相指示による指示内容に応じた色相の変化と、該３原色指示における色の変化は前記画像にリアルタイムに反映されるので画像を確認しながら、３原色指示と色相指示の双方を用いた良好な操作環境を提供できる。
【００３３】
画像に対する色相指示による指示内容は、３原色指示に反映され、該色相指示による指示に応じた前記画像が変更された後の画像に対して前記指示内容が反映した３原色指示による指示が可能であるので、感覚的に色相指示により色補正を行ないその補正を踏まえた上での３原色指示の微調整が可能となる。
【図面の簡単な説明】
【図１】本発明の第１実施例における画像処理装置の構成を示すブロック図である。
【図２】同実施例における画像処理装置の操作画面の一例を示すである。
【図３】同実施例における色相方向指示手段と色変化量指示手段で与えられるパラメータの関係の一例を示す図である。
【図１】
0003848000.tif 000003
【図２】
0003848000.tif 000004
【図３】
0003848000.tif 000005